(57)【要約】【課題】チェーンの重量や大きさを低減しつつチェーン強度を維持し、しかも、チェーン組み付けに係る作業負担やコストを低減する金属製チェーンを提供すること。【解決手段】複数の内リンク１１０および外リンク１２０をチェーン長手方向に交互に屈曲可能に連結して成る金属製チェーン１００であって、外リンク１２０は、前後一対のピン部１２１と、左右一対の外プレート部１２２とを有し、内リンク１１０は、ピン部１２１を軸受けする前後一対のブシュ部１１１と、左右一対の内プレート部１１２とを有し、内リンク１１０は、それぞれ一体形成され、内プレート部１１２Ａ、１１２Ｂを１つずつ有した第１内リンク部品１１０Ａおよび第２内リンク部品１１０Ｂの二部品から構成されている金属製チェーン１００。【選択図】図１
2015102238.tif 000002
【特許請求の範囲】
【請求項１】
複数の内リンクおよび外リンクをチェーン長手方向に交互に屈曲可能に連結して成る金属製チェーンであって、
前記外リンクは、前後一対のピン部と、左右一対の外プレート部とを有し、
前記内リンクは、前記ピン部を軸受けする前後一対のブシュ部と、左右一対の内プレート部とを有し、
前記内リンクは、それぞれ一体形成され、前記内プレート部を１つずつ有した第１内リンク部品および第２内リンク部品の二部品から構成されていることを特徴とする金属製チェーン。
【請求項２】
前記第１内リンク部品および前記第２内リンク部品は、少なくとも１つの前記ブシュ部をそれぞれ有し、互いに同一形状で形成されていることを特徴とする請求項１に記載の金属製チェーン。
【請求項３】
前記第１内リンク部品および前記第２内リンク部品は、前後一対の前記ブシュ部をそれぞれ有していること特徴とする請求項２に記載の金属製チェーン。
【請求項４】
チェーン幅方向に見た場合に、前記ブシュ部の外縁と前記内プレート部の外縁とが、一部領域において互いに重なっていることを特徴とする請求項１乃至請求項３のいずれかに記載の金属製チェーン。
【請求項５】
前記内リンクは、前記ブシュ部の中心を通ってチェーン高さ方向に延びる仮想線によって３つに分割された、前後一対の外側領域および内側領域を有し、
前記ブシュ部の外縁と前記内プレート部との外縁とは、少なくとも前記前後一対の外側領域において、互いに重なっていることを特徴とする請求項４に記載の金属製チェーン。
【請求項６】
前記第１内リンク部品および前記第２内リンク部品は、１つの前記内プレート部と前後一対の前記ブシュ部とをそれぞれ有し、
前記第１内リンク部品のブシュ部と前記第２内リンク部品のブシュ部との対向面間には、スペーサが配置されていることを特徴とする請求項１乃至請求項５のいずれかに記載の金属製チェーン。
【請求項７】
前記スペーサは、リング状に形成され、
前記スペーサの外径は、前記ブシュ部の外径よりも大きいことを特徴とする請求項６に記載の金属製チェーン。
【請求項８】
前記外リンクは、それぞれ一体形成された第１外リンク部品および第２外リンク部品の二部品から構成されていることを特徴とする請求項１乃至請求項７のいずれかに記載の金属製チェーン。
【請求項９】
前記第１外リンク部品および前記第２外リンク部品は、１つの前記外プレート部と１つの前記ピン部とをそれぞれ有し、互いに同一形状で形成されていることを特徴とする請求項８に記載の金属製チェーン。
【発明の詳細な説明】
【技術分野】
【０００１】
本発明は、複数の内リンクおよび外リンクをチェーン長手方向に交互に屈曲可能に連結して成る金属製チェーンに関する。
【背景技術】
【０００２】
従来、複数の内リンクおよび外リンクをチェーン長手方向に交互に屈曲可能に連結して成る金属製チェーンとして、図１８に示すように、一対の外プレート９２２のピン孔にピン９２１が固定された外リンク９２０と、ブシュ９１１が一対の内プレート９１２のブシュ孔に固定された内リンク９１０とから成り、内リンク９１０のブシュ９１１に外リンク９２０のピン９２１が緩挿されることにより外リンク９２０と内リンク９１０とが交互に連結されてなるチェーン９００が知られている（例えば特許文献１参照。）。
【先行技術文献】
【特許文献】
【０００３】
【特許文献１】特開２００７−１０７５８３号公報
【発明の概要】
【発明が解決しようとする課題】
【０００４】
ここで、特許文献１のチェーン９００のような金属製チェーンにおいては、内プレート９１２とブシュ９１１とを連結するにあたり、内プレート９１２のブシュ孔内にブシュ９１１を圧入嵌合させる手法が一般に用いられる。
【０００５】
ところが、内プレート９１２にブシュ９１１を固定する手段として圧入嵌合を用いた場合、図１８に示す内プレート９１２の箇所Ａが、チェーン張力によって生じる引張破断力が集中する破断箇所となり易いことから、内プレート９１２の強度が損なわれ、また、この内プレート９１２の強度低下を補うために、内プレート９１２の剛性を高めようとすると、内プレート９１２の大きさや重量が増加してしまうという、金属製チェーンに特有の問題があった。
【０００６】
また、内プレート９１２のブシュ孔に対してブシュ９１１を圧入嵌合するには、内プレート９１２のブシュ孔の周囲に一定量以上のプレート部分を設ける必要があり、その結果、前記プレート部分を設けた分だけ、内プレート９１２のチェーン高さ方向の寸法や重量が増加するという、やはり金属製チェーンに特有の問題があった。
【０００７】
また、従来のチェーン９００では、外プレート９２２、ピン９２１、内プレート９１２、ブシュ９１１の各部品ごとに、成形、熱処理、仕上げ工程を個別に施す必要があるため、チェーンの製造負担およびコストが高いという問題もある。
【０００８】
更には、従来のチェーン９００では、チェーン組み付けに際し、左右一対の内プレート９１２に前後一対のブシュ９１１を圧入嵌合して内リンク９１０を形成した後、外プレート９２２に圧入嵌合された前後一対のピン９２１をブシュ９１１に挿入し、その後、前後一対のピン９２１に外プレート９２２を圧入嵌合する等、チェーン組付け工程が多く、チェーン組付けに係る作業負担が大きいという問題もあった。
【０００９】
本発明は、これらの問題点を解決するものであり、チェーンの重量や大きさを低減しつつチェーン強度を維持し、しかも、チェーン組み付けに係る作業負担やコストを低減する金属製チェーンを提供することを目的とするものである。
【課題を解決するための手段】
【００１０】
本発明は、複数の内リンクおよび外リンクをチェーン長手方向に交互に屈曲可能に連結して成る金属製チェーンであって、前記外リンクは、前後一対のピン部と、左右一対の外プレート部とを有し、前記内リンクは、前記ピン部を軸受けする前後一対のブシュ部と、左右一対の内プレート部とを有し、前記内リンクは、それぞれ一体形成され、前記内プレート部を１つずつ有した第１内リンク部品および第２内リンク部品の二部品から構成されていることにより、前記課題を解決するものである。
【発明の効果】
【００１１】
本請求項１に係る発明によれば、内リンクは、それぞれ一体形成された第１内リンク部品および第２内リンク部品の二部品から構成されていることにより、引張破断力が集中する圧入嵌合に起因した破断箇所が内プレート部に生じないため、重量や大きさを増加させることなく、内リンクの強度を向上させることができる。
また、内プレートにブシュを圧入する場合、一定以上の幅のプレート部分を内プレートのブシュ孔の周囲に確保する必要があったが、本請求項１に係る発明では、前記プレート部分を内プレート部に確保する必要がないため、内プレート部のチェーン高さ方向の寸法や重量を低減することができる。
また、内リンクを二部品から構成することにより、チェーン構成部品の部品点数が低減し、チェーン部品の製造やチェーン組み付けに係る作業負担およびコストを低減することができる。
また、チェーン幅方向に分離した第１内リンク部品および第２内リンク部品の二部品から内リンクを構成することにより、第１内リンク部品および第２内リンク部品の間にスペーサを介在させることが可能になって、チェーン幅方向におけるチェーン寸法の調整を図ることが容易になるとともに、内リンク部品同士の直接的な衝突を回避して騒音の発生を抑制することができ、また、ブシュ部の外周にローラを外嵌することができる。
【００１２】
本請求項２に係る発明によれば、第１内リンク部品および第２内リンク部品は、少なくとも１つのブシュ部をそれぞれ有し、互いに同一形状で形成されていることにより、チェーン構成部材の部品形状の種類が減るため、チェーン部品の製造やチェーン組み付けに係る作業負担およびコストを低減することができる。
本請求項３に係る発明によれば、第１内リンク部品および第２内リンク部品は、前後一対のブシュ部をそれぞれ有し、互いに同一形状で形成されていることにより、チェーン構造がチェーン幅方向において左右対称となり、チェーンの左右バランスが良くなるため、安定したチェーン走行を実現することができる。
本請求項４に係る発明によれば、チェーン幅方向に見た場合に、ブシュ部の外縁と内プレート部の外縁とが一部領域において互いに重なっていることにより、内リンクの重量を低減できるとともに、内リンクの外形形状に凹凸が少なくなるため、内リンクの製造が容易になる。
本請求項５に係る発明によれば、ブシュ部の外縁と内プレート部の外縁とが、少なくとも前後一対の外側領域において互いに重なっていることにより、内リンクの重量や内リンクの製造負担の低減に加えて、内リンクのチェーン高さ方向の寸法を低減することができる。
本請求項６に係る発明によれば、第１内リンク部品のブシュ部と第２内リンク部品のブシュ部との対向面間にスペーサが配置されていることにより、スペーサによって第１内リンク部品と第２内リンク部品との直接的な接触を回避し、衝突に起因した騒音の発生を防止することができる。
本請求項７に係る発明によれば、リング状のスペーサの外径がブシュ部の外径よりも大きいことにより、ブシュチェーンとして構成した場合には、スプロケットとブシュ部との直接的な接触を回避し、また、ブシュ部の外周にローラを外嵌した場合には、ローラとブシュ部との直接的な接触を回避するため、衝突に起因した騒音の発生を防止することができる。
本請求項８に係る発明によれば、外リンクが、それぞれ一体形成された第１外リンク部品および第２外リンク部品の二部品から構成されていることにより、チェーン構成部品の部品点数を更に低減し、部品点数が低減し、チェーン部品の製造やチェーン組み付けに係る作業負担およびコストを低減することができ、また、ピン部と外プレート部との圧入嵌合箇所を減らすことができるので、外リンクの強度を向上することができる。
本請求項９に係る発明によれば、第１外リンク部品および第２外リンク部品が互いに同一形状で形成されていることにより、チェーン構成部材の部品形状の種類が減るため、チェーン部品の製造やチェーン組み付けに係る作業負担およびコストを低減することができる。
【図面の簡単な説明】
【００１３】
【図１】第１実施形態に係る金属製チェーンを示す説明図。
【図２】第１実施形態に係る金属製チェーンを一部断面視して示す平面図。
【図３】第１実施形態の第１変形例に係る内リンクを示す説明図。
【図４】第１実施形態の第２変形例に係る内リンクを示す説明図。
【図５】第２実施形態に係る金属製チェーンを示す説明図。
【図６】第２実施形態に係る金属製チェーンを一部断面視して示す平面図。
【図７】第２実施形態に係る内リンク部品を示す説明図。
【図８】第３実施形態に係る金属製チェーンを示す説明図。
【図９】第３実施形態に係る金属製チェーンを一部断面視して示す平面図。
【図１０】第４実施形態に係る金属製チェーンを示す説明図。
【図１１】第４実施形態に係る金属製チェーンを一部断面視して示す平面図。
【図１２】第５実施形態に係る金属製チェーンを示す説明図。
【図１３】第５実施形態に係る金属製チェーンを一部断面視して示す平面図。
【図１４】第６実施形態に係る金属製チェーンを一部断面視して示す平面図。
【図１５】第７実施形態に係る金属製チェーンを示す説明図。
【図１６】第７実施形態に係る金属製チェーンを一部断面視して示す平面図。
【図１７】第７実施形態に係る外リンクの変形例を示す説明図。
【図１８】従来のチェーンを示す説明図。
【発明を実施するための形態】
【実施例】
【００１４】
以下に、本発明の第１実施形態である金属製チェーン１００について、図面に基づいて説明する。
【００１５】
第１実施形態の金属製チェーン１００は、自動車エンジン用のタイミングシステムに組み込まれるタイミングチェーンとして構成され、図１や図２に示すように、複数の内リンク１１０および外リンク１２０を備えている。これら複数の内リンク１１０および外リンク１２０は、ブシュ部１１１Ａ、１１１Ｂ内にピン部１２１を挿入することで、チェーン長手方向に交互に連結されている。
【００１６】
各内リンク１１０は、図１や図２に示すように、チェーン幅方向に並べて配置された第１内リンク部品１１０Ａおよび第２内リンク部品１１０Ｂの二部品からそれぞれ構成されている。各内リンク部品１１０Ａ、１１０Ｂは、前後一対のブシュ部１１１Ａ、１１１Ｂと、前後一対のブシュ部１１１Ａ、１１１Ｂをチェーン長手方向に連結する１つの内プレート部１１２Ａ、１１２Ｂとをそれぞれ有している。第１内リンク部品１１０Ａおよび第２内リンク部品１１０Ｂは、互いに同一形状で形成されている。各内リンク部品１１０Ａ、１１０Ｂは、鍛造やプレス加工等の塑性加工、鋳造、金属射出成形、機械加工等によって一体に形成され、それぞれ一部品として構成されている。ブシュ部１１１Ａ、１１１Ｂはブシュ孔を有し、内プレート部１１２Ａ、１１２Ｂはブシュ孔と同径のプレート孔を有し、ブシュ部１１１Ａ、１１１Ｂおよび内プレート部１１２Ａ、１１２Ｂはブシュ孔の中心とプレート孔の中心とが一致するように連結している。
【００１７】
各外リンク１２０は、互いに別部品として構成された、前後一対のピン部１２１と、前後一対のピン部１２１をチェーン長手方向に連結する左右一対の外プレート部１２２とをそれぞれ有している。ピン部１２１の両端側は、圧入嵌合等によって、外プレート部１２２のピン孔に固定されている。
【００１８】
なお、各内リンク部品１１０Ａ、１１０Ｂの具体的構成は、上記に限定されず、例えば、図３に示すように、１つの内プレート部１１２Ａ、１１２Ｂと１つのブシュ部１１１Ａ、１１１Ｂとをそれぞれ有するように、各内リンク部品１１０Ａ、１１０Ｂを構成してもよい。この図３に示す変形例の内リンク１１０’では、第１内リンク部品１１０Ａおよび第２内リンク部品１１０Ｂが、互いに同一形状で形成されている。また、この図３に示す変形例の内リンク１１０’では、第１内リンク部品１１０Ａと第２内リンク部品１１０Ｂとを嵌め合うことなくチェーン幅方向に並べて配置してもよく、または、内プレート部１１２Ａ、１１２Ｂの一方のプレート孔の内径をブシュ部１１１Ａ、１１１Ｂの外径よりも大きく形成し、ブシュ部１１１Ａ、１１１Ｂの先端を内プレート部１１２Ａ、１１２Ｂのプレート孔内に挿入してもよい。
【００１９】
また、図４に示すように、第１内リンク部品１１０Ａを１つの内プレート部１１２Ａから構成し、第２内リンク部品１１０Ｂを前後一対のブシュ部１１１Ｂと１つの内プレート部１１２Ｂとから構成してもよい。また、この図４に示す変形例の内リンク１１０’’においても、第１内リンク部品１１０Ａと第２内リンク部品１１０Ｂとを嵌め合うことなくチェーン幅方向に並べて配置してもよく、または、内プレート部１１２Ａのプレート孔の内径をブシュ部１１１Ｂの外径よりも大きく形成し、ブシュ部１１１Ｂの先端を内プレート部１１２Ａのプレート孔内に挿入してもよい。
【００２０】
次に、本発明の第２実施形態に係る金属製チェーン２００について、図５〜図７に基づいて説明する。ここで、第２実施形態では、一部構成以外は、前述した第１実施形態と全く同じである。そのため、第１実施形態に関する明細書および図面に示す１００番台の符号を２００番台の符号に読み替えることによって、相違点以外の構成については、その説明を省略する。
【００２１】
まず、第２実施形態の金属製チェーン２００では、各内リンク部品２１０Ａ、２１０Ｂの内プレート部２１２Ａ、２１２Ｂの大きさが、第１実施形態とは異なる。すなわち、第２実施形態の金属製チェーン２００では、図７に示すように、ブシュ部２１１Ａ、２１１Ｂのブシュ孔２１１Ａａ、２１１Ｂａ（内プレート部２１２Ａ、２１２Ｂのプレート孔２１２Ａａ、２１２Ｂａ）の中心Ｃを通ってチェーン高さ方向に延びる仮想線Ｌによって、前後一対の外側領域Ｒｏおよび内側領域Ｒｉの３つの領域に内リンク部品２１０Ａ、２１０Ｂを分割し、内リンク部品２１０Ａ、２１０Ｂをチェーン幅方向に見た場合に、ブシュ部２１１Ａ、２１１Ｂの外縁と内プレート部２１２Ａ、２１２Ｂの外縁とが、前後一対の外側領域Ｒｏにおいて互いに重なっている。
【００２２】
なお、本実施形態では、上述したように、ブシュ部２１１Ａ、２１１Ｂの外縁と内プレート部２１２Ａ、２１２Ｂの外縁とが、外側領域Ｒｏの全域において互いに重なっているが、外側領域Ｒｏのうちの一部領域においてのみ重なっていてもよく、また、内側領域Ｒｉの一部領域においても重なっていてもよい。
【００２３】
また、本実施形態では、図７に示すように、内側領域Ｒｉにおいて内プレート部２１２Ａ、２１２Ｂの外縁が直線状に形成されているが、内側領域Ｒｉにおいて内プレート部２１２の外縁が凸状または凹状に湾曲していてもよい。
【００２４】
次に、本発明の第３実施形態に係る金属製チェーン３００について、図８および図９に基づいて説明する。ここで、第３実施形態では、一部構成以外は、前述した第１実施形態と全く同じである。そのため、第１実施形態に関する明細書および図面に示す１００番台の符号を３００番台の符号に読み替えることによって、相違点以外の構成については、その説明を省略する。
【００２５】
第３実施形態の金属製チェーン３００では、図８や図９に示すように、第１内リンク部品３１０Ａのブシュ部３１１Ａおよび第２内リンク部品３１０Ｂのブシュ部３１１Ｂの対向面間に、リング状のスペーサ３３０が配置されている。スペーサ３３０は、合成ゴム等の弾性体または合成樹脂等の高分子材から形成される。また、スペーサ３３０として、コイルばね等のばね部材を用いてもよい。
【００２６】
スペーサ３３０の内径は、ブシュ部３１１Ａ、３１１Ｂのブシュ孔や内プレート部３１２Ａ、３１２Ｂのプレート孔の内径と同程度に設定され、また、スペーサ３３０の外径は、ブシュ部３１１Ａ、３１１Ｂの外径よりも大きく設定されている。
【００２７】
なお、上記では、第１実施形態と同様に構成された金属製チェーンにスペーサ３３０を適用した例を説明したが、図１０および図１１に示す第４実施形態の金属製チェーン４００のように、第２実施形態と同様に構成された金属製チェーンにスペーサ４３０を適用してもよい。
【００２８】
次に、本発明の第５実施形態に係る金属製チェーン５００について、図１２および図１３に基づいて説明する。ここで、第５実施形態では、一部構成以外は、前述した第２実施形態と全く同じである。そのため、第２実施形態に関する明細書および図面に示す２００番台の符号を５００番台の符号に読み替えることによって、相違点以外の構成については、その説明を省略する。
【００２９】
第５実施形態の金属製チェーン５００では、図１２や図１３に示すように、ブシュ部５１１Ａ、５１１Ｂの外周に、ローラ５４０が配置されている。
【００３０】
なお、上記では、第２実施形態と同様に構成された金属製チェーンにローラ５４０を適用した例を説明したが、図１４に示す第６実施形態の金属製チェーン６００のように、第４実施形態と同様に構成された金属製チェーンにローラ６４０を適用してもよい。
【００３１】
次に、本発明の第７実施形態に係る金属製チェーン７００について、図１５〜図１７に基づいて説明する。ここで、第７実施形態では、一部構成以外は、前述した第１実施形態と全く同じである。そのため、第１実施形態に関する明細書および図面に示す１００番台の符号を７００番台の符号に読み替えることによって、相違点以外の構成については、その説明を省略する。
【００３２】
第７実施形態の金属製チェーン７００では、図１５や図１６に示すように、外リンク７２０が、それぞれ一体形成された第１外リンク部品７２０Ａおよび第２外リンク部品７２０Ｂの二部品から構成されている。
【００３３】
第１外リンク部品７２０Ａおよび第２外リンク部品７２０Ｂは、１つの外プレート部７２２Ａ、７２２Ｂと１つのピン部７２１Ａ、７２１Ｂとをそれぞれ有し、互いに同一形状で形成されている。
【００３４】
なお、図１７に示すように、第１外リンク部品７２０Ａが１つの外プレート部７２２Ａと２つのピン部７２１Ａとを有し、第２外リンク部品７２０Ｂが１つの外プレート部７２２Ｂを有するように、外リンク７２０’を構成してもよい。
【００３５】
上述した実施形態では、金属製チェーンが自動車エンジン用のタイミングチェーンであるものとして説明したが、本発明の金属製チェーンの用途はこれに限定されず、伝動用チェーンや搬送用チェーン等の如何なるものでもよい。
また、上述した実施形態では、チェーン幅方向に内リンクを１つ配置しているが、チェーン幅方向に内リンクを複数配置してもよい。
また、上述した複数の実施形態および変形例の構成を、任意に組み合わせて金属製チェーンを構成しても何ら構わない。
また、金属製チェーンの各構成部品の材料については、鉄や鋼等の鉄系金属、アルミニウムや銅等の非鉄金属等の如何なるものでもよい。
【符号の説明】
【００３６】
１００、２００、３００、４００、５００、６００、７００  ・・・  金属製チェーン
１１０、２１０、３１０、４１０、５１０、６１０、７１０  ・・・  内リンク
１１０Ａ、２１０Ａ、３１０Ａ、４１０Ａ、５１０Ａ、６１０Ａ、７１０Ａ  ・・・  第１内リンク部品
１１１Ａ、２１１Ａ、３１１Ａ、４１１Ａ、５１１Ａ、６１１Ａ、７１１Ａ  ・・・  ブシュ部
１１２Ａ、２１２Ａ、３１２Ａ、４１２Ａ、５１２Ａ、６１２Ａ、７１２Ａ  ・・・  内プレート部
１１０Ｂ、２１０Ｂ、３１０Ｂ、４１０Ｂ、５１０Ｂ、６１０Ｂ、７１０Ｂ  ・・・  第２内リンク部品
１１１Ｂ、２１１Ｂ、３１１Ｂ、４１１Ｂ、５１１Ｂ、６１１Ｂ、７１１Ｂ  ・・・  ブシュ部
１１２Ｂ、２１２Ｂ、３１２Ｂ、４１２Ｂ、５１２Ｂ、６１２Ｂ、７１２Ｂ  ・・・  内プレート部
１２０、２２０、３２０、４２０、５２０、６２０、７２０  ・・・  外リンク
１２０Ａ、２２０Ａ、３２０Ａ、４２０Ａ、５２０Ａ、６２０Ａ、７２０Ａ  ・・・  第１外リンク部品
１２０Ｂ、２２０Ｂ、３２０Ｂ、４２０Ｂ、５２０Ｂ、６２０Ｂ、７２０Ｂ  ・・・  第２外リンク部品
１２１、２２１、３２１、４２１、５２１、６２１、７２１Ａ、７２１Ｂ  ・・・  ピン部
１２２、２２２、３２２、４２２、５２２、６２２、７２２Ａ、７２２Ｂ  ・・・  外プレート部
３３０、４３０、６３０  ・・・  スペーサ
５４０、６４０  ・・・  ローラ
Ｒｏ  ・・・  外側領域
Ｒｉ  ・・・  内側領域
Ｃ    ・・・  ブシュ部のブシュ孔（内プレート部のプレート孔）の中心
【図１】
2015102238.tif 000003
【図２】
2015102238.tif 000004
【図３】
2015102238.tif 000005
【図４】
2015102238.tif 000006
【図５】
2015102238.tif 000007
【図６】
2015102238.tif 000008
【図７】
2015102238.tif 000009
【図８】
2015102238.tif 000010
【図９】
2015102238.tif 000011
【図１０】
2015102238.tif 000012
【図１１】
2015102238.tif 000013
【図１２】
2015102238.tif 000014
【図１３】
2015102238.tif 000015
【図１４】
2015102238.tif 000016
【図１５】
2015102238.tif 000017
【図１６】
2015102238.tif 000018
【図１７】
2015102238.tif 000019
【図１８】
2015102238.tif 000020